(57)【要約】      （修正有）【課題】口腔清掃の効果を上げる、水素を排出できる水素歯ブラシを提供する。【解決手段】水素歯ブラシは、洗浄部１１０と、流量制御モジュール１２０と、水素供給モジュール１３０とを備える。洗浄部の一端は複数の気孔を備えるブラシヘッドである。流量制御モジュールは、洗浄部のブラシヘッドと相対する一端に連結され、且つ流量制御モジュールにスイッチが設置される。水素供給モジュールは、流量制御モジュールの洗浄部と相対する一端に連結され、水素を格納、供給するように構成される。水素供給モジュールから供給された水素は、スイッチがオン状態である場合に、流量制御モジュールを通過して洗浄部の複数の気孔から排出される。【選択図】図１
0003214753.tif 000002
【実用新案登録請求の範囲】
【請求項１】
洗浄部と、流量制御モジュールと、水素供給モジュールとを備える水素歯ブラシであって、
前記洗浄部の一端は、複数の気孔を備えるブラシヘッドであり、
前記流量制御モジュールは、前記洗浄部の前記ブラシヘッドと相対する一端に連結され、且つ前記流量制御モジュールにスイッチが設置され、
前記水素供給モジュールは、前記流量制御モジュールの前記洗浄部と相対する一端に連結され、且つ水素を格納、供給するように構成され、前記水素供給モジュールから供給された水素は、前記流量制御モジュールの前記スイッチがオン状態である場合、前記流量制御モジュールを通過して前記洗浄部の前記複数の気孔から排出されることを特徴とする、水素歯ブラシ。
【請求項２】
前記ブラシヘッドは複数の毛ユニットを備えることを特徴とする、請求項１に記載の水素歯ブラシ。
【請求項３】
前記複数の毛ユニットは、前記複数の気孔にそれぞれ対応して設置されることを特徴とする、請求項２に記載の水素歯ブラシ。
【請求項４】
前記流量制御モジュールの内部には、開閉が前記スイッチに制御される調圧弁を備え、前記調圧弁が開放状態である場合、前記調圧弁は前記水素供給モジュールから供給される水素を通過させるように構成されることを特徴とする、請求項１に記載の水素歯ブラシ。
【請求項５】
前記ブラシヘッドは回転ブラシヘッドであることを特徴とする、請求項１に記載の水素歯ブラシ。
【請求項６】
洗浄部と、超音波振動モジュールと、流量制御モジュールと、水素供給モジュールとを備える水素歯ブラシであって、
前記洗浄部の一端は、複数の気孔を備えるブラシヘッドであり、
前記超音波振動モジュールは、前記洗浄部の前記ブラシヘッドと相対する一端に連結され、
前記流量制御モジュールは、前記超音波振動モジュールの前記洗浄部と相対する一端に連結され、且つ前記流量制御モジュールにスイッチが設置され、
前記水素供給モジュールは、前記流量制御モジュールの前記超音波振動モジュールと相対する一端に連結され、且つ水素を格納、供給するように構成され、前記水素供給モジュールから供給された水素は、前記流量制御モジュールの前記スイッチがオン状態である場合に、前記流量制御モジュールおよび前記超音波振動モジュールを順次に通過して前記洗浄部の前記複数の気孔から排出されることを特徴とする、水素歯ブラシ。
【請求項７】
前記ブラシヘッドは複数の毛ユニットを備えることを特徴とする、請求項６に記載の水素歯ブラシ。
【請求項８】
前記複数の毛ユニットは、前記複数の気孔にそれぞれ対応して設置されることを特徴とする、請求項７に記載の水素歯ブラシ。
【請求項９】
前記流量制御モジュールの内部には、開閉が前記スイッチに制御される調圧弁を備え、前記調圧弁が開放状態である場合、前記調圧弁は前記水素供給モジュールから供給される水素を通過させるように構成されることを特徴とする、請求項６に記載の水素歯ブラシ。
【請求項１０】
前記ブラシヘッドは回転ブラシヘッドであることを特徴とする、請求項６に記載の水素歯ブラシ。
【請求項１１】
前記超音波振動モジュールは、前記回転ブラシヘッドに動力源を供給し、前記回転ブラシヘッドは前記動力源により回転するように構成されることを特徴とする、請求項１０に記載の水素歯ブラシ。
【考案の詳細な説明】
【技術分野】
【０００１】
本考案は一種の歯ブラシに関わり、特に水素を排出できる水素歯ブラシに関するものである。
【背景技術】
【０００２】
周知されるように、歯ブラシは歯を磨く用のブラシである。よく見られる伝統的な歯ブラシの構造は、高密度な毛を植えたブラシヘッドがハンドルに設置されるものであるため、口腔内洗浄され難い部分を洗浄し、さらに、歯磨き粉をつけて歯磨きの効果を上げる。
【考案の概要】
【考案が解決しようとする課題】
【０００３】
しかし、上述の伝統的な方法の効果は限られているため、如何に口腔清掃の効果を上げるかは、当業者にとって解決すべき課題である。
【０００４】
上述した従来の課題を鑑みて、本考案の目的は、一種の水素歯ブラシを提供し、従来技術の問題を解決する。
【課題を解決するための手段】
【０００５】
上述の目的に沿い、本考案は、洗浄部と、流量制御モジュールと、水素供給モジュールとを備える水素歯ブラシを提供する。洗浄部の一端は複数の気孔を備えるブラシヘッドである。流量制御モジュールは、洗浄部のブラシヘッドと相対する一端に連結され、且つ流量制御モジュールにスイッチが設置される。水素供給モジュールは、流量制御モジュールの洗浄部と相対する一端に連結され、且つ水素を格納、供給するように構成され、水素供給モジュールから供給された水素は、流量制御モジュールのスイッチがオン状態である場合、流量制御モジュールを通過して洗浄部の複数の気孔から排出される。
【０００６】
より好ましくは、ブラシヘッドは複数の毛ユニットを備える。
【０００７】
より好ましくは、複数の毛ユニットは各気孔にそれぞれ対応して設置される。
【０００８】
より好ましくは、流量制御モジュールの内部には、開閉がスイッチに制御される調圧弁を備え、調圧弁が開放状態である場合、調圧弁は前記水素供給モジュールから供給される水素を通過させるように構成される。
【０００９】
より好ましくは、ブラシヘッドは回転ブラシヘッドである。
【００１０】
上述の目的に沿い、本考案は洗浄部と、超音波振動モジュールと、流量制御モジュールと、水素供給モジュールとを備える水素歯ブラシをさらに提供する。洗浄部の一端は複数の気孔を備えるブラシヘッドであり、超音波振動モジュールは、洗浄部のブラシヘッドと相対する一端に連結され、流量制御モジュールは、超音波振動モジュールの洗浄部と相対する一端に連結され、且つ流量制御モジュールにスイッチが設置され、水素供給モジュールは、流量制御モジュールの超音波振動モジュールと相対する一端に連結され、且つ水素を格納、供給するように構成され、水素供給モジュールから供給された水素は、スイッチがオン状態である場合に、流量制御モジュールおよび超音波振動モジュールを順次に通過して洗浄部の複数の気孔から排出される。
【００１１】
より好ましくは、ブラシヘッドは回転ブラシヘッドである。
【００１２】
より好ましくは、超音波振動モジュールは回転ブラシヘッドに動力源を供給し、回転ブラシヘッドは動力源により回転するように構成される。
【００１３】
上述したように、本考案の水素歯ブラシが、水素供給モジュールを介して水素を供給し、且つ流量制御モジュールのスイッチに対応して水素を洗浄部の気孔から排出させることにより、洗浄効果を上げることを達成する。
【図面の簡単な説明】
【００１４】
【図１】本考案の水素歯ブラシの第一実施例の分解図である。
【図２】本考案の水素歯ブラシの第一実施例の正面図である。
【図３】本考案の水素歯ブラシの第一実施例の背面図である。
【図４】本考案の水素歯ブラシのブラシヘッドの概略図である。
【図５】本考案の水素歯ブラシの第二実施例の分解図である。
【図６】本考案の水素歯ブラシの第二実施例の正面図である。
【考案を実施するための形態】
【００１５】
本考案をより完全に理解するために、本考案の技術特徴、内容と長所及びそれが達成できる作用効果について、添付図面を参照して、実施例の表現形式で以下のように詳細に説明する。但し、図示された図面は、単に例示または明細書内容を補助することを目的としたものであって、本考案の実施後の原寸に比例したものや精確に配置したものには何ら拘束されてはならず、本考案を実際に実施する権利範囲に制限することを意図したものではない。
【００１６】
本考案の長所、特徴及び達成するための技術方法をより容易に理解するために、例示的な実施例及び添付図面を参照しながらより詳細に説明する。なお、本考案は、本明細書に記載した実施形態に限定されるものではなく、異なる形態で実施することができる。むしろ、当業者にとっては、本開示の実施形態は、本考案の権利範囲をより徹底的かつ全面的に説明し、且つ本考案は、添付の実用新案登録請求の範囲に定義される。
【実施例】
【００１７】
図１から図４を参照し、図１は本考案の水素歯ブラシの第一実施例の分解図である。図２は本考案の水素歯ブラシの第一実施例の正面図である。図３は本考案の水素歯ブラシの第一実施例の背面図である。図４は本考案の水素歯ブラシのブラシヘッドの概略図である。図面に示されるように、本考案の水素歯ブラシ１００は洗浄部１１０と、流量制御モジュール１２０と、水素供給モジュール１３０とを備える。水素歯ブラシ１００は洗浄部１１０、流量制御モジュール１２０、および水素供給モジュール１３０を順次に組み合わせたものである。
【００１８】
そして、洗浄部１１０の一端はブラシヘッド１１１であり、ブラシヘッド１１１は複数の気孔１１２を備える。洗浄部１１０は、水素を通過させて気孔１１２を介して水素歯ブラシ１００の外部に排出するように構成される中空な内部を備える。
【００１９】
また、流量制御モジュール１２０は、洗浄部１１０のブラシヘッド１１１と相対する一端に連結され、流量制御モジュール１２０にスイッチ１２１が設置され、流量制御モジュール１２０の内部には、洗浄部１１０の中空な内部に連通して水素を通過させるように構成される通路を備える。流量制御モジュール１２０は内部にある通路を介して水素の流量を制限する。また、スイッチ１２１はボタン式スイッチ、プッシュプルスイッチであっても良く、これらに限定されない。水素供給モジュール１３０は流量制御モジュール１２０の洗浄部１１０と相対する一端に連結され、且つ水素を格納、供給するように構成される。水素供給モジュール１３０から供給された水素は、流量制御モジュール１２０のスイッチ１２１がオン状態である場合、流量制御モジュール１２０を通過して洗浄部１１０のブラシヘッド１１１の複数の気孔１１２を介して外部に排出する。逆に、スイッチ１２１がオフ状態である場合、複数の気孔１１２からの水素の排出が停止される。水素供給モジュール１３０は水素合金タンクまたは水素鋼製タンクであっても良い。
【００２０】
具体的に言うと、ブラシヘッド１１１は複数の毛ユニット１１３を備える。そして、複数の毛ユニット１１３は各気孔１１２に対応してそれぞれ設置される。即ち、毛ユニット１１３はブラシヘッド１１１の気孔１１２と同じ面に設置され得るが、気孔１１２は毛ユニット１１３の設置場所とすることに限定されず、各毛ユニット１１３の間に設置され得る。換言すれば、水素は複数の気孔１１２を介して排出され、即ち、毛ユニット１１３の設置場所から排出される。また、ブラシヘッド１１１は回転ブラシヘッドであっても良いが、これには限定されない。
【００２１】
また、流量制御モジュール１２０の内部には気体の流量を制御する調圧弁（図示されない）を備えることができる。スイッチ１２１をオンすることにより、流量制御モジュール１２０の開閉弁が開放され、水素供給モジュール１３０から供給された水素に調圧弁および開閉弁を通過させる。その調圧弁はストライカー、ニードル弁、ボール弁、バタフライ弁などの気圧調整機構を備えることができる。スイッチ１２１がオンされた場合、ストライカーが移動され、水素を通過させ、スイッチ１２１がオフされると、ストライカーが元の位置に戻って、水素を遮断させる。
【００２２】
したがって、上述の第一実施例に基づいて、本考案は第二実施例をさらに挙げて説明する。図５および図６を参照し、図５は本考案の水素歯ブラシの第二実施例の分解図である。図６は本考案の水素歯ブラシの第二実施例の正面図である。図面に示されるように、本実施例の水素歯ブラシ２００は洗浄部２１０と、流量制御モジュール２２０と、水素供給モジュール２３０と、超音波振動モジュール２４０とを備える。本実施例の水素歯ブラシ２００と第一実施例の水素歯ブラシ１００との相違点は、流量制御モジュール２２０と洗浄部２１０との間に超音波振動モジュール２４０が増設され、超音波振動モジュール２４０は超音波を提供して水素歯ブラシ２００の本体を振動させ、その振動を介して洗浄部２１０により歯に対する洗浄効果を上げる。
【００２３】
そして、前記洗浄部２１０の一端はブラシヘッド２１１であり、ブラシヘッド２１１は複数の気孔を備える。超音波振動モジュール２４０は、洗浄部２１０のブラシヘッド２１１と相対する一端に連結される。流量制御モジュール２２０は超音波振動モジュール２４０の洗浄部２１０と相対する一端に連結され、且つ流量制御モジュール２２０にスイッチ２２１が設置される。水素供給モジュール２３０は流量制御モジュール２２０の超音波振動モジュール２４０と相対する一端に連結され、且つ水素を格納、供給するように構成される。水素供給モジュールから供給された水素は、流量制御モジュール２２０のスイッチ２２１がオン状態である場合、流量制御モジュール２２０および超音波振動モジュール２４０を順次に通過して、洗浄部２１０の複数の気孔から排出される。また、ブラシヘッド端２１１は回転ブラシヘッドであっても良い。回転ブラシヘッドは超音波振動モジュール２４０から供給された動力源により回転する。
【００２４】
そのうち、流量制御モジュール２２０と超音波振動モジュール２４０との間に、電源供給モジュール２５０がさらに設置され、超音波振動モジュール２４０および電源供給モジュール２５０の内部には水素を通過させる通路を備え、その通路は流量制御モジュール２２０の内部にある通路およびブラシヘッド２２１の内部にある通路にそれぞれ連通する。
【００２５】
本実施例の水素歯ブラシ２００の詳細な説明および実施方法は、上述の第一実施例の水素歯ブラシ１００の説明と同じであるため、重複する説明は省略する。
【００２６】
上述のように、本考案の水素歯ブラシは水素供給モジュールを介して水素を供給し、流量制御モジュールのスイッチに対応して、水素を洗浄部の気孔から排出させることにより、洗浄効果を上げることを達成する。
【００２７】
上記実施形態のとおり、本考案の技術思想及び特徴を説明してきたが、その目的は本考案の範囲を限定するためのものではなく、当業者が本考案の内容を理解して実施するためのものである。即ち、本考案の範囲及び趣旨を逸脱することなく均等範囲内における変更及び修正は、いずれも添付の実用新案登録請求の範囲で扱うものとする。
【符号の説明】
【００２８】
１００、２００：水素歯ブラシ
１１０、２１０：洗浄部
１１１、２１１：ブラシヘッド
１１２：気孔
１１３：毛ユニット
１２０、２２０：流量制御モジュール
１２１、２２１：スイッチ
１３０、２３０：水素供給モジュール
２４０：超音波振動モジュール
２５０：電源供給モジュール
【図１】
0003214753.tif 000003
【図２】
0003214753.tif 000004
【図３】
0003214753.tif 000005
【図４】
0003214753.tif 000006
【図５】
0003214753.tif 000007
【図６】
0003214753.tif 000008